(57)【要約】【課題】所望の局所に十分な光量の光を照射することができ、局所に光を照射する際、局所照明装置が作業者の視界を遮る心配がなく、さらに、局所近傍に安定した状態で設置することができる局所照明装置を提供する。【解決手段】少なくとも１の照明具２ａと、この照明具２ａを着脱可能に保持するための保持部３を有する局所照明装置であって、照明具２ａは、可撓性及び形状保持性を備える照明具本体４と、この照明具本体４の端部に設けられる発光部５ａと、この発光部５ａを発光させるための発光手段とを備え、保持部３は、バンド６と、このバンド６に固設され照明具２ａを着脱可能に装着する少なくとも１のホルダー７と、バンドの少なくとも一箇所に固設され又は着脱可能に設けられる固定具８を備えることを特徴とする局所照明装置１ａ1による。【選択図】図１
2008034209.tif 000002
【特許請求の範囲】
【請求項１】
少なくとも１の照明具と、前記照明具を着脱可能に保持するための保持部を有する局所照明装置であって、
前記照明具は、可撓性及び形状保持性を備える照明具本体と、前記照明具本体の端部に設けられる発光部と、前記発光部を発光させるための発光手段とを備え、
前記保持部は、バンドと、前記バンドに固設され前記照明具を着脱可能に装着する少なくとも１のホルダーと、前記バンドの少なくとも一箇所に固設され又は着脱可能に設けられる固定具を備えることを特徴とする局所照明装置。
【請求項２】
少なくとも１の照明具と、前記照明具を着脱可能に保持するための保持部を有する局所照明装置であって、
前記照明具は、可撓性及び形状保持性を備える照明具本体と、前記照明具本体の端部に設けられる発光部と、前記発光部を発光させるための発光手段とを備え、
前記保持部は、バンドと、前記バンドに固設され前記照明具を着脱可能に装着する少なくとも１のホルダーと、前記バンドの少なくとも一箇所に固設され又は着脱可能に設けられ前記バンドを環状に接続するための、又は他の複数の局所照明装置を直列又は環状に接続するための連結部を備えることを特徴とする局所照明装置。
【請求項３】
他の局所照明装置の前記ホルダーは共用に形成されており、前記照明具は、前記他の局所照明装置の前記ホルダーに交換可能に着脱できることを特徴とする請求項１又は請求項２に記載の局所照明装置。
【請求項４】
前記照明具は、前記照明具の内外を遮断するシール部を具備することを特徴とする請求項１乃至請求項３のいずれか１項に記載の局所照明装置。
【請求項５】
前記照明具は、この照明具に設けられる前記発光部を点灯するスイッチ部を備え、前記ホルダーは前記スイッチ部が動作した後にその状態を保持するスイッチ状態保持部を備え、前記スイッチ状態保持部は、前記照明具を前記ホルダーに装着した場合に前記スイッチ部がＯＮされた状態を保持することを特徴とする請求項１乃至請求項４のいずれか１項に記載の局所照明装置。
【請求項６】
少なくとも１の照明具と、前記照明具を着脱可能に保持するための保持部を有する局所照明装置であって、
前記照明具は、可撓性及び形状保持性を備える照明具本体と、前記照明具本体の端部に設けられる発光部とを備え、
前記保持部は、バンドと、前記バンドに固設され前記照明具を着脱可能に装着する少なくとも１のホルダーと、前記バンドの少なくとも一箇所に固設され又は着脱可能に設けられる固定具と、前記発光部を発光させるための発光手段と、前記ホルダーに装着されたすべての前記発光部の点灯又は消灯を同時に切り替え可能なスイッチ部を備えることを特徴とする局所照明装置。
【請求項７】
前記照明具は、可撓性及び形状保持性を備えて前記照明具本体から分岐する少なくとも１の分岐部を備え、この分岐部の端部は、前記発光手段によって発光する発光部を備えることを特徴とする請求項１乃至請求項６のいずれか１項に記載の局所照明装置。
【請求項８】
前記発光部は、Ｒａ＝９０以上の高演色性の白色ＬＥＤを備えることを特徴とする請求項１乃至請求項７のいずれか１項に記載の局所照明装置。
【発明の詳細な説明】
【技術分野】
【０００１】
本発明は、所望の局所に十分な光量の光を照射することができ、局所に光を照射する際、局所照明装置が作業者の視界を遮る心配がなく、さらに、局所近傍に安定した状態で設置することができる局所照明装置に関する。
【背景技術】
【０００２】
人や動物を手術する場合、例えば、開胸／開腹内にある臓器、口内にある歯肉や気道を手術する際においては、医師や獣医師が執刀するにあたり、十分に術部が照らされている必要がある。しかしながら、従来の医療用局所照明器具は、光量は十分に確保できる反面、照明器具自体が大きく術部に近接させると、作業者の視界を遮ってしまい作業の邪魔であった。
このような従来の課題に対し局部照明装置に関する発明がいくつか開示されている。
【０００３】
たとえば、特許文献１には「照明装置」という名称で、先端に点状光源を備える可撓性の電線を複数束ねて発光素子支持体に固定した照明装置に関する発明が開示されている。
当該発明は、点状光源を備える可撓性の電線を複数備えるため、従来の光源が１つである局部照明装置に比べ局所に照射される光量を多くすることができる。また、医師が執刀する際、術部を明るくするための局部照明装置として利用することが可能である。
【０００４】
特許文献２には「簡易照明体」という名称で、軽量でコンパクトに携帯可能な簡易照明に関する発明が開示されている。
当該発明は、先端に発光体を備える線状のフレキシブル支柱にクリップ又は接着シートが設けられており、フレキシブル支柱は変幻自在に曲げて所望の位置に光を照射させることができる。
また当該発明は、クリップを備えているため、挟持可能な場所であればどこにでも設置することが可能である。また、クリップに代えて接着シートを備える場合、適当な被挟持物がなくとも当該発明に係る「簡易照明体」を設置できる。
このため、医師が執刀する際、術部を明るくするための局部照明装置としても利用することが可能である。
【０００５】
特許文献３には「可変配光形照明器具」という名称で、配光特性を変更可能な照明器具に関する発明が開示されている。
当該発明は、光源保持板の板面に沿って複数の点状光源が配設され、光源保持板の反り／撓みの程度を変更可能に構成されることを特徴とするものである。
当該発明によれば、光源保持板を反った状態に保持した場合には、複数の点状光源から発せられる光を散光することができ、逆に、光源保持板を撓んだ状態に保持した場合には、光を集光することができる。当該発明も、医師が執刀する際に術部を明るくするための局部照明装置として利用することが可能である。
【０００６】
特許文献４には「照明装置」という名称で、伸縮自在で所望の場所に光を照射することができる照明装置に関する発明が開示されている。
当該発明は、入れ子式に収納可能な伸縮部に屈曲自在なフレキシブルシャフトが延設され、このフレキシブルシャフトの先端に発光部を備え、さらに、伸縮部は、発光部を駆動するための駆動部と、この駆動部に電源を供給するための電源部と共にケース内に収容されるものである。
当該発明によれば、伸縮部とフレキシブルシャフトにより所望の位置に発光部を配置することが可能であり、医師が執刀する際に術部を明るくするための局部照明装置として利用することが可能である。
【０００７】
【特許文献１】特開平６−１０４４８６号公報
【特許文献２】特開２００２−２４５８４０号公報
【特許文献３】特開２００３−３０８７２１号公報
【特許文献４】特開２０００−７６９０２号公報
【発明の開示】
【発明が解決しようとする課題】
【０００８】
しかしながら、上述の特許文献１に記載の「照明装置」は、導線上に装着可能に構成されており、当該発明に係る「照明装置」を設置するための固定具を備えていない。このため、医療用の局所照明装置として特許文献１に記載の「照明装置」を使用する場合、導線が無い場所に移動させることができないため不便であった。また、複数個の発光素子の点灯／消灯を個別に切替可能なスイッチを備えておらず、従って照度を調節することができないので不便であった。
【０００９】
上述の特許文献２に記載の「簡易照明体」は、クリップ又は接着シートを備えているので「簡易照明体」を携帯したり、移動させることができるものの、適当な被挟持物がない場合や、接着シートによる貼設が困難な場所、たとえば、貼設面が平滑ない場所、には設置できないという課題があった。
とりわけ、医師が執刀する術部近傍は、患者又は患畜の体の一部である場合が多く、適当な被挟持物がない上、平滑でない場合がほとんどであり、当該発明に係る「簡易照明体」を容易に設置できないという課題があった。
また、当該発明は、点状光源を１しか備えていないので、たとえば、この点状光源にＬＥＤを使用し、発光チップに流れる電流の量を増減させることで光量を調整可能にした場合であっても、光量を増加させるには限度があり、局所を十分に明るくできない可能性もあった。
【００１０】
上述の特許文献３に記載の「可変光形照明器具」は、光の拡散と集光を調節可能であるものの、光源が面状光源であるため、医療用の局所照明装置として使用する際、術部の近傍に当該発明に係る「可変光形照明器具」を設置すると、大きな光源が作業者の視界を遮ってしまい、作業の邪魔になるという課題があった。
【００１１】
上述の特許文献４に記載の「照明装置」は、特許文献２に記載の発明の場合と同様に、点状光源を１しか備えていないので、光量を増加させるには限度があり、局所を十分に明るくできない可能性があった。
また、伸縮部や駆動部及び電源部を収容するケースの底面は、平面状であるため、やはり特許文献２に記載の発明の場合と同様に、例えば、医療用の局所照明装置として使用する際に、術部の近傍に安定した状態で設置できない可能性があった。
【００１２】
本発明はかかる従来の事情に対処してなされたものであり、その目的は、たとえば、ヒトや家畜等の動物に対して手術等の医療行為や観察，検査等を行なう際に、所望の局所に十分な光量の光を照射することができ、局所に光を照射する際、局所照明装置が作業者の視界を遮る心配がなく、さらに、局所近傍に安定した状態で設置することができる局所照明装置を提供することにある。
【課題を解決するための手段】
【００１３】
本発明の請求項１に記載の局所照明装置は、少なくとも１の照明具と、この照明具を着脱可能に保持するための保持部を有する局所照明装置であって、照明具は、可撓性及び形状保持性を備える照明具本体と、照明具本体の端部に設けられる発光部と、発光部を発光させるための発光手段とを備え、保持部は、バンドと、このバンドに固設され照明具を着脱可能に装着する少なくとも１のホルダーと、バンドの少なくとも一箇所に固設され又は着脱可能に設けられる固定具を備えることを特徴とするものである。
上記構成の局所照明装置において、照明具本体は自在に屈曲して発光部から発せられる光を所望の場所に向けるという作用を有する。また、ホルダーは照明具を着脱可能に保持するという作用を有する。さらに、バンドは自在に屈曲して照明具を保持するホルダーを安定した状態で支持するという作用を有する。そして、発光部は所望の局所に光を照射するという作用を有する。また、発光手段は発光部を発光させるという作用を有する。
さらに、固定具は、請求項１に記載される局所照明装置を着脱可能に固定するという作用を有する。
【００１４】
請求項２に記載の発明である局所照明装置は、少なくとも１の照明具と、この照明具を着脱可能に保持するための保持部を有する局所照明装置であって、照明具は、可撓性及び形状保持性を備える照明具本体と、照明具本体の端部に設けられる発光部と、発光部を発光させるための発光手段とを備え、保持部は、バンドと、バンドに固設され照明具を着脱可能に装着する少なくとも１のホルダーと、バンドの少なくとも一箇所に固設され又は着脱可能に設けられバンドを環状に接続するための、又は他の複数の局所照明装置を直列又は環状に接続するための連結部を備えることを特徴とするものである。
上記構成の局所照明装置は、請求項１に記載される局所照明装置に係る固定具に代えて連結具を備えるものであり、照明具本体は自在に屈曲して発光部から発せられる光を所望の場所に向けるという作用を有する。また、ホルダーは照明具を着脱可能に保持するという作用を有する。さらに、バンドは自在に屈曲して照明具を保持するホルダーを安定した状態で支持するという作用を有する。そして、発光部は所望の局所に光を照射するという作用を有する。また、発光手段は発光部を発光させるという作用を有する。
さらに、連結具はバンドの両端を環状に連結可能にするという作用を有する。また、複数の請求項２に記載の局所照明装置を直列に又は環状に連結可能にするという作用も有する。
【００１５】
請求項３に記載の発明である局所照明装置は、請求項１又は請求項２に記載の局所照明装置であって、他の局所照明装置のホルダーは共用に形成されており、照明具は、他の局所照明装置のホルダーに交換可能に着脱できることを特徴とするものである。
上記構成の局所照明装置は、他の局所照明装置と共通のホルダーを備えることで、照明具を他の局所照明装置と共用し、適宜追加や交換を可能にするという作用を有する。
【００１６】
請求項４に記載の発明である局所照明装置は、請求項１乃至請求項３のいずれか１項に記載の局所照明装置であって、照明具は、照明具の内外を遮断するシール部を具備することを特徴とするものである。
上記構成の局所照明装置は、請求項１乃至請求項３のいずれか１項に記載の発明と同様の作用に加え、シール部は照明具の内外を遮断するという作用を有する。
【００１７】
請求項５に記載の発明である局所照明装置は、請求項１乃至請求項４のいずれか１項記載の局所照明装置であって、照明具は、この照明具に設けられる発光部を点灯するスイッチ部を備え、ホルダーはスイッチ部が動作した後にその状態を保持するスイッチ状態保持部を備え、前記スイッチ状態保持部は、前記照明具を前記ホルダーに装着した場合に前記スイッチ部がＯＮされた状態を保持することを特徴とするものである。
上記構成の局所照明装置は、請求項１乃至請求項４に記載の各発明の作用に加え、照明具に設けられるスイッチ部は、ＯＮとなった場合に発光部を点灯させるという作用を有する。また、スイッチ状態保持部は、ホルダーに照明具が装着された場合にスイッチ部がＯＮされた状態を保持するという作用を有する。
【００１８】
請求項６に記載の発明である局所照明装置は、少なくとも１の照明具と、この照明具を着脱可能に保持するための保持部を有する局所照明装置であって、照明具は、可撓性及び形状保持性を備える照明具本体と、この照明具本体の端部に設けられる発光部とを備え、保持部は、バンドと、バンドに固設され照明具を着脱可能に装着する少なくとも１のホルダーと、バンドの少なくとも一箇所に固設され又は着脱可能に設けられる固定具と、発光部を発光させるための発光手段と、ホルダーに装着されたすべての発光部の点灯又は消灯を同時に切り替え可能なスイッチ部を備えることを特徴とするものである。
上記構成の局所照明装置は、請求項１記載の発明と同じ作用を有する。また、スイッチ部は、全ての発光部の点灯又は消灯を同時に切り替え可能にするという作用を有する。
【００１９】
請求項７に記載の発明である局所照明装置は、請求項１乃至請求項６のいずれか１項記載の局所照明装置であって、照明具は、可撓性及び形状保持性を備えて照明具本体から分岐する少なくとも１の分岐部を備え、この分岐部の端部は、発光手段によって発光する発光部を備えることを特徴とするものである。
上記構成の局所照明装置は、請求項１乃至請求項６のいずれか１項記載の局所照明装置と同様の作用に加え、分岐部はその先端に設けられる発光部を支持し、自在に屈曲できて発光部の光を所望の場所に向けられるという作用を有する。
【００２０】
請求項８に記載の発明である局所照明装置は、請求項１乃至請求項７のいずれか１項に記載の局所照明装置であって、発光部は、Ｒａ＝９０以上の高演色性の白色ＬＥＤを備えることを特徴とするものである。
上記構成の局所照明装置は、請求項１乃至請求項７に記載の各発明の作用に加え、光が照射される局所の色彩を、基準光源である白熱電球又はハロゲン球により光を照射した際の局所の色彩に近づけるという作用を有する。さらに、発光部の光源の寿命を長くすると同時に、発光時の発熱を軽減するという作用も有する。
【発明の効果】
【００２１】
本発明の請求項１乃至請求項８に記載の発明である局所照明装置によれば、たとえば、ヒトや家畜等の動物に対して手術等の医療行為や観察，検査等を行なう際に、所望の局所に自在に光を照射することが可能であり、しかも、目的に応じて局所に照射する光の光量を調節することができる。また、発光部を局所に近づけた場合でも、作業者の視界を遮る可能性が低く、作業者は局所が見えやすいように無理な体勢を取る必要がないので作業性が向上する。
また、請求項１乃至請求項８に記載の発明である局所照明装置は、平坦でない不安定な場所にも安定した状態で設置することができるという効果を有する。
【００２２】
特に本発明の請求項１に記載の発明である局所照明装置によれば、固定具により所望の位置に着脱可能に固定することができるという効果を有する。。
【００２３】
特に本発明の請求項２に記載の発明である局所照明装置によれば、バンドの端部を環状に接続することができるので、設置面が平面でなく凹凸である場合でも本発明の請求項２に記載の局所照明装置を安定した状態で設置することができる。
さらに、複数の本発明の請求項２に記載の局所照明装置を直列に又は環状に連結することができるので、複数の局所に同時に光を照射したり、局所に帯状の光を照射することが可能である。
【００２４】
特に、本発明の請求項３に記載の発明である局所照明装置によれば、照明具は他の局所照明装置のホルダーにも共通に装着可能であるので、例えば手術などで一の局所照明装置を手術台の傍に置き、他の局所照明装置のバンドを術者の腕などに巻いている場合等、複数の局所照明装置を取り扱う場合に、状況に応じて、照明具を一の局所照明装置から取り外して他の局所照明装置へ装着させたり、一の局所照明装置の照明具が故障した場合に他の局所照明装置に装着されている照明具で代用させることが可能となり、照明具の汎用性を高めることができるという効果を有する。
【００２５】
特に本発明の請求項４に記載の発明である局所照明装置によれば、シール部により照明具の内外が遮断されるので、請求項４に記載の局所照明装置をエチレンオキサイドガス（ＥＯＧ）滅菌や高圧蒸気滅菌することが容易になる。従って、請求項４に記載の局所照明装置を手術等の医療行為に使用する際にコンタミネーションの恐れを回避することができ、局所照明装置の再利用による経済性を満足しながら、装置自体の利便性と安全性を高めることができる。
【００２６】
特に本発明の請求項５に記載の発明である局所照明装置によれば、照明具をホルダーに装着するだけで発光部を点灯させることができ、しかも照明具をホルダに装着している間は発光部の点灯状態を維持することができるという効果を有する。さらに照明具を取り外すと同時に発光部を消灯できるという効果を有する。
【００２７】
特に本発明の請求項６に記載の発明である局所照明装置によれば、請求項１に記載の発明と同様の効果に加え、スイッチ部により全ての発光部の点灯又は消灯を同時に切り替えることができるという効果を有する。このため、発光部の点灯又は消灯に係る作業が簡便化され、請求項６に記載の局所照明装置の操作性が向上するという効果を有する。
【００２８】
特に本発明の請求項７に記載の発明である局所照明装置によれば、分岐部を備えることで、請求項１乃至請求項６に記載の発明に比べ、所望の光量を確保するために必要な照明具の数を少なくすることができ、例えば、医師が執刀する際に、術部近傍に十分な作業スペースを確保することができる。また、分岐部を設けることで、照明具本体に複数の発光部を設けることができ、これら発光部から発せられる光の向きを個別に、自在に調整することが可能である。このため、照明具本体にのみ発光部を有する場合に比べて、所望の局所に一層精度よく光を照射することができるという効果を有する。
【００２９】
特に本発明の請求項８に記載の発明である局所照明装置によれば、光源がＲａ＝９０以上の高演色性の白色ＬＥＤであるため、従来の白熱電球等の光源に比べて、発光時の発熱が少なく、所望の光量を得るのに必要な電力が少なくてすみ、しかも、長寿命であるため、請求項８に記載の局所照明装置を使用する際のランニングコストを節減できるという効果を有する。
また、従来の白熱灯状の豆電球に比べて発光部の発熱が小さいため、医師が手術の際の局所照明として用いる際には、術部への発光熱の影響を低減することができる。
さらに、光が照射された局所の色彩を基準光源である白熱電球又はハロゲン球により光が照射された際の色彩に近づけることができ、専門家においては、肉眼にて動脈／静脈等の識別性が向上し、医療ミス等の発生防止に役立つという効果を有する。
【発明を実施するための最良の形態】
【００３０】
［１］以下に本発明の第１の実施の形態に係る局所照明装置について図１及び図２を参照しながら説明する。（主に請求項１乃至請求項４，請求項６乃至請求項８に対応）
【００３１】
図１は本発明の第１の実施の形態に係る局所照明装置の概念図である。また、図２は本発明の第１の実施の形態に係る照明具の概念図である。
図１に示すように、本発明の第１の実施の形態に係る局所照明装置１ａ1は、主に、複数の照明具２ａとこれを支持する保持部３により構成され、たとえば、ヒトや家畜等の動物に対して手術等の医療行為や観察，検査等を行なう際に、所望の局所Ａに自在に光を照射することができる照明装置である。
本実施の形態に係る局所照明装置１ａ1において照明具２ａは、図２示すように、照明具本体軸４の上端部には発光部５ａが、また、その下端側にはバッテリ収納部１２がそれぞれ設けられており、図示しないバッテリ収納部１２の内部には発光部５ａの光源に電力を供給するための配線や電源が収容されている。
また、照明具２ａの照明具本体軸４は、棒状で可撓性と形状保持性を備えており、発光部５ａの向きを自在に変更できるという効果を有する。
さらに、発光部５ａの側面にはスイッチ１１が設けられており、このスイッチのＯＮ／ＯＦＦを切替えることで、発光部５ａを点灯又は消灯できるよう構成されている。
また、本実施の形態に係る局所照明装置１ａ1と、図４を参照して後述する他の局所照明装置１ｂ1，１ｂ2に係る照明具２ａの電源系統やホルダー７の内径等の規格を統一することによれば、形態の異なる複数の保持部３であっても、それに装着する照明具は一種類だけでよく、本発明に係る局所照明装置の汎用性を高めることができるという効果を有する。
具体的には、手術を行なう際に、医師が手術台の傍あるいは手術を受ける患者の患部近傍に置いた局所照明装置１ａ1と医師の腕などに巻かれた局所照明装置１ｂ1と、さらに医師の頭部に巻かれた局所照明装置１ｂ2の間で、必要に応じ局所照明装置１ａ1，１ｂ1，１ｂ2間で適宜照明具２ａを交換させることが可能である。つまり、手術中に故障を生じた場合でも他の局所照明装置から照明具２ａを移動させることができ、時間やスペースなどが限られる手術室内などにおいては、このような照明具の汎用性が非常に重要となる。さらに、同じ規格品を補充することが可能であり、経済的な効果も有する。
【００３２】
そして、再び図１に戻るが、上述のような複数の照明具２ａを支持する保持部３は、図１に示すように、可撓性と形状保持性を有する帯状のバンド６と、その側面に設けられ、照明具２ａを着脱可能に保持する複数のホルダー７、及びバンド６の少なくとも一方の端部に設けられ、局所照明装置１ａ1を着脱可能に固定する固定具８により構成されるものであり、それぞれのホルダー７に照明具２ａを装着し、局所Ａに各々照明具の光を集光させることで、局所Ａを明るく照らすことが可能になる。
あるいは、光の照射を要する局所が複数点在する場合には、これら複数の局所に同時に光を照射することが可能である。
このような、局所照明装置１ａ1によれば、局所Ａに光を照射する場合に、局所Ａの上側に局所照明装置１ａ1が配置されないので、たとえば、人や家畜等の患部を手術する場合に、局所照明装置１ａ1が医師や獣医師の視界を遮る心配がない。このため、医師や獣医師は、手術をスムースに行うことができ、しかも、医師や獣医師は楽な姿勢で作業することができるので作業性を高めることができるという効果を有する。
なお、本実施の形態に係る局所照明装置１ａ1は、保持部３に４本の照明具２ａを備える場合を例に挙げて説明しているが、照明具２ａの数や、装着位置は作業の目的に応じて自由に変更してよい。また、バンド６上に、例えば、図示しないレール等を設け、このレール上にホルダー７を掛着する等により、ホルダー７の設置位置を自由に変更可能に構成することによれば、所望の局所Ａに容易に光を集光させることができるだけでなく、所望の方向から局所Ａに光を照射することも可能になり便利である。
また、本実施の形態に係る照明具２ａにおいて、発光部５ａと照明具本体軸４との接続部分や、スイッチ１１の周辺には図示しないシール部を備えており、このシール部によりホルダー７の内外が遮断されて気密構造となるよう構成されている。このため、本実施の形態に係る局所照明装置１ａ1を手術等の医療行為に使用する際に、たとえば、エチレンオキサイドガス滅菌や高圧蒸気滅菌をすることが可能となり、この結果、医療現場におけるコンタミネーションのリスクを回避することができる。さらに、局所照明装置１ａ1自体の利便性と安全性を高めることができるという効果を有する。
なお、本願明細書中に記載される他の実施の形態に係る照明具についても、上述した構成の特徴の点で本実施の形態に係る照明具と同様である。
さらに、局所照明装置１ａ1においてホルダー７に装着可能な、ミラーを別体に準備することで、作業者は、作業者の位置から死角になる局所もミラーを用いて見ることができるので、本発明に係る局所照明装置１ａ1を一層汎用性の高いものにできるという効果を有する。
【００３３】
次に本実施の形態に係る局所照明装置１ａ1のそれぞれの構成について詳細に説明する。
（１）発光部５ａについて詳細に説明する。
図２に示すように、照明具２ａは、主に照明具本体軸４，バッテリ収納部１２そして発光部５ａにより構成され、この発光部５ａは、照明具本体軸４に延設されるソケット９ａと、このソケット９ａに収容される光源により構成されている。  なお、照明具２ａに用いられる光源は小型で耐久性に優れ、発光時の発熱量が小さいものが望ましい。特に、本実施の形態に係る照明具２ａの光源には、光の演色性を示すＲａ値がＲａ＝９０以上の白色ＬＥＤ１０を採用した場合を例に挙げて説明しているが、発光部５ａの光源の色は必ずしも白色である必要はなく、発光部５ａの光源の色は、手術や作業の目的に応じて自由に変更してよい。
この他にも発光部５ａの光源には、例えば、豆電球や、２液混合タイプ等の化学発光体等、小型の発光体であれば使用可能である。さらに、発光部５ａを着脱可能に構成すれば、故障した光源の交換作業が簡便になる。また、光源を使い捨てにした場合、局所照明装置１ａ1の消毒殺菌作業を簡素化できるという効果を有する。
また、本実施の形態に係る照明具２ａの光源に関しては、特定波長の光に反応して、蛍光やりん光を発光する物質を、医師が執刀する際に術部を特定するためのマーカーとして用いる場合、発光部５ａの光源のいずれかを、特定波長光を発する光源に置き換えて使用することも可能である。この場合、本実施の形態にかかる局所照明装置１ａ1で、特定波長の光を発光する装置と局所を照明するための照明装置を兼ねることができるので、手術に必要な機器を削減できるという効果を有する。
【００３４】
また、本実施の形態のように、発光部５ａの光源としてＲａ＝９０以上の白色ＬＥＤ１０を用いた場合には、光が照射される局所Ａの色彩を、基準光源である白熱電球又はハロゲン球により光を照射した際の局所Ａの色彩に近づけることができるという効果を有する。さらにこの場合、従来の白熱灯に比べて所望の照度を得るために必要な消費電力が少なくてすみ、しかも、光源自体が長寿命であるため局所照明装置１ａ1のランニングコストを節減できるという効果も有する。
なお、光源に白色ＬＥＤを用いる場合には、望ましくは紫外波長を含まない白色ＬＥＤを、さらに望ましくは赤外波長よりも長い波長を含まない白色ＬＥＤを用いることが望ましい。もちろん、発光部５ａに、必要に応じて白色以外のＬＥＤを用いてもよい。
このように、光源の白色ＬＥＤが紫外波長を含まない場合、光を照射する局所部位が紫外線による悪影響を受けることがなく安全である。また、光源の白色ＬＥＤが赤外波長よりも長い波長を含まない場合には、上述のような効果に加え、光が照射される局所の温度が上昇する心配が少なく、本実施の形態に係る局所照明装置１ａ1が被照射体に与える負荷を軽減することができる。
なお、本願明細書中に記載される他の実施の形態に係る光源についても、上述した構成の特徴の点で本実施の形態に係る光源と同じである。
【００３５】
また、発光部５ａの側面には、必要に応じてスイッチ１１が設けられており、このスイッチ１１により発光部５ａの点灯／消灯が個別に切替可能である。このような構成により、所望の照明具２ａにのみ光を点灯させることができ、局所Ａに照射する光量を調節できると同時に、作業の妨げにならない位置にのみ照明具２ａを装着することによれば、局所Ａがよく見えるように作業者が自ら姿勢を変える必要がなく、作業効率を向上させることができるという効果を有する。
なお、図示しないが、発光部５ａの側面には必要に応じて照度調整部を設けてもよく、個別の発光部５ａの照度を段階的に又は連続的に変更できるよう構成することで局所に最適な照度の光を照射することができ、対象物が一層見えやすくなるので作業性が向上するという効果を有する。また、この場合、照度調整部の周辺にも照明具２ａの内外を遮蔽するシール部を設けることが望ましい。
【００３６】
（２）バンド６及び照明具本体軸４の構造について詳細に説明する。
本実施の形態に係るバンド６及び照明具本体軸４は、可撓性を有すると同時に湾曲させた際にその形状を維持できる形状保持性を有することが好ましい。
このため本実施の形態に係るバンド６及び照明具本体軸４は、たとえば、金属又は合成樹脂製の可撓性外皮の内部に、可撓性を有し形状保持可能な網状管を設け、さらにその内部に可撓性を有しながら内部の配線を保護する樹脂テープ等による螺旋管を設けてその中空部に発光部５ａに電気を供給するための配線を収納してもよい。
あるいは、外皮を蛇腹状に形成することで可撓性と形状保持性を同時に備えるよう構成した場合には、形状保持可能にする網状管を備える必要はなく、外皮のみとしてもよい。また、配線の本数が少ない場合には、配線を保護するための螺旋管を省略してもよい。
上述のようなバンド６，照明具本体軸４はいずれも可撓性と形状保持性を備えているため、特にバンド６は、湾曲させることで複数の照明具２ａで局所Ａを取り囲むように配置することができる。このとき、発光部５ａはいずれも局所Ａの真上には配置されないので、たとえば、医師や獣医師が執刀する場合に、局所照明装置１ａ1が医師や獣医師の視界を遮る心配がなく、しかも局部Ａを十分に明るくすることができるという優れた効果を発揮する。
さらに、バンド６を湾曲させると局所照明装置１ａ1を平滑でない場所に載置することが可能となり便利である。これは、本実施の形態に係る局所照明装置１ａ1のバンド６が、例えば、直線状で自在に屈曲することができない場合、局所照明装置１ａ1は、発光部５ａの多くが傾く側に転倒してしまう恐れがあり使用し難いという問題に対処するものである。つまり、バンド６を略Ｃ字形又は略コ字形に湾曲させることで、局所照明装置１ａ1の重心が弓なりに湾曲したバンド６内側へと移動するため、載置面が平坦でない場合でも局所照明装置１ａ1を安定した状態で載置することができるのである。
また、照明具２ａは、可撓性と形状保持性を備える照明具本体軸４を有することで発光部５ａの向きを自在に変更することができる。このため、作業者は所望の方向に発光部５ａを向けることができ、局部Ａに発光部５ａを近づけて局所Ａを一層明るくすることもできるという効果を有する。
なお、本実施の形態に係るバンド６又は照明具本体軸４は、例えば、棒状体や帯状体であり、必要に応じ、表面に立体的な溝部や線状凸状体又は多数の凸状体からなる滑り止め部材を一体に、あるいは、別体取付タイプ等を付加してもよい。
また、吸汗材や上述のような滑り止め部材を、別体として準備し、例えば、これらを着脱可能に附帯させることによれば、バンド６を環状に連結させることでリストバンド又はヘッドバンドとしても用いることができて便利である。
【００３７】
本実施の形態に係る局所照明装置１ａ1は、バンド６又は照明具本体軸４の図示しない中空部に発光部５ａに電力を供給するための配線や電力供給源である電池を収容している。
なお、本実施の形態においては、電力供給源に必ずしも電池を用いる必要はなく、例えば、バンド６に、図示しない導電ケーブルとこの導電ケーブルに延設されるコンセントを設けて、外部電力を発光部５ａに供給可能に構成してもよい。そしてこの場合、例えば、図１中において、破線で示すようなスイッチ部２４をバンド６の側面に設けることで、バンド６に装着した全ての照明具２ａにおける発光部５ａの点灯又は消灯を同時に切替可能にできるという効果を発揮する。なお、このように発光部５ａの点灯又は消灯を同時に切替可能なスイッチ部２４を設ける場合には、照明具２ａのそれぞれにスイッチ１１を設けなくともよい。さらに、スイッチ部２４の位置は、図１に示す位置に限定されるものではなく、バンド６を後で説明するようなリストバンドやヘッドバンドとした場合でも、発光部の点灯又は消灯の操作がしやすい位置であればバンド６のどこに設けてもよい。
【００３８】
この他に、発光部５ａに電源を含む構成にしてもよく、電源を含んだ発光部５ａを同時に着脱可能に構成してもよい。この場合、局所照明装置１ａ1に係るバンド６と照明具本体軸４は可撓性と形状保持性を有する単なる線状体でもよく、発光部５ａに電力を供給するための配線等を収容する必要がないので、消毒殺菌作業を一層簡便化することができる。
また、発光部５ａに電源を含む構成にした場合、局所照明装置１ａ1の重心位置が高くなって転倒することがないよう、発光部５ａの総重量よりもバンド６と照明具本体軸４そして固定具８の総重量が大きくなるようにして、局所照明装置１ａ1の重心位置が低くなるよう構成する必要がある。この場合、例えば、バンド６に着脱可能におもりを備えてもよいし、着脱可能に磁石や吸盤等の吸着部材を備えてもよい。
【００３９】
（３）バンド６の少なくとも一方の端部に設けられる固定具８について詳細に説明する。
本実施の形態においては、バンド６の両端部に固定具８として、例えば、机や作業台の縁部を挟持可能な挟持部材１３が設けられており、局所照明装置１ａ1を着脱可能に固定することができるという効果を有する。
上記構成の局所照明装置１ａ1によれば、作業台に局所照明装置１ａ1を着脱可能に固定することができ、作業スペースを有効に活用することができるという効果を有する。
また、バンド６の端に設けられる固定具８は、図１に示されるようなクリップ状の挟持部材１３以外にも、例えば、吸盤等の吸着具や、磁石等の磁気吸着具，フック等の掛着具，面ファスナー等でもよい。すなわち、固定具８はバンド６を他の物体に着脱可能に固定できるよう構成されるものであり、バンド６の少なくとも一方に１つ設けられることで固定具として機能するものであればその構造は問題としない。つまり、１つの固定具８で局所照明装置１ａ1を安定した状態で固定できる場合には、バンド６の端部のいずれか一方にのみ固定具８を設けてもよい。
本実施の形態においては、上述のような固定具８はバンド６に着脱可能に設けられ又は固設されている。
さらに、本実施の形態に係る局所照明装置１ａ1においては、上述のような固定具８の代わりに、バンド６を環状にしたり、複数の局所照明装置１ａ1を直列に又は環状に連結可能な、連結具を装着可能としてもよい。
このような連結具による連結方法は、たとえば、嵌合によるものや、磁気吸着によるもの、又は雄ネジと雌ネジの螺合によるものでもよい。さらに、バンド６の端部にバックルを設け、バンド６の他端近傍にバンド６の長さ方向と平行に複数の小孔を並べて設け、所望の位置でバンド６を環状に接続又は連結できるよう構成してもよい。
すなわち、連結と解除を繰り返し行なうことができ、しかも、バンド６の両端に着脱可能に取り付けられて、一対ではじめて連結具として機能するよう構成されるものであればその構造は問題としない。
このように、連結具を用いて局所照明装置１ａ1のバンド６を環状に連結した場合には、例えば、医師が執刀する際、患者又は患畜の術部をバンド６で囲うように、あるいは、手術の対象が小動物である場合には、その動物全体をバンド６で囲むように局所照明装置１ａ1を設置することができ、その際の、局所照明装置１ａ1設置安定性をも高めることができるという効果を有する。
また、複数の局所照明装置１ａ1を直列に連結すると、照明を要する局所が帯状の場合に特に便利である。
さらに、複数の局所照明装置１ａ1を直列に連結してその両端を環状に連結することによれば、より大きな環状の局所照明装置１ａ1を形成することも可能であり、局所照明装置１ａ1の汎用性が高まる。
【００４０】
（４）発光部５ａの変形例について図３を参照しながら説明する。
図３（ａ），（ｂ）はそれぞれ本発明の第１の実施の形態に係る照明具の変形例１，変形例２を示す部分図である。なお、図１又は図２に記載されたものと同一部分については同一符号を付し、その構成についての説明は省略する。
上述の局所照明装置１ａ1においては、光源である白色ＬＥＤ１０が照明具本体軸４の軸方向に取り付けられているのに対し、照明具２ａの変形例１に係る照明具２ｂは、図３（ａ）に示すように、白色ＬＥＤ１０が照明具本体軸４の側面に直列状に複数取り付けられたものである。そしてこの場合、１本の照明具２ｂから照射される光の量を多く設定できるので、局部に照射される光の照度を高めることができるという効果を有する。
変形例１に係る照明具２ｂの発光部５ｂは、主に光源である複数の白色ＬＥＤ１０と、これらを直列状に収容するソケット９ｂからなり、このソケット９ｂの側面には、光源の点灯／消灯を切替可能なスイッチ１１が設けられている。
さらに、ソケット９ｂの側面に、個々の白色ＬＥＤ１０の点灯／消灯を別々に切替できるようにスイッチ１１を複数設けてもよい。
また、図３（ａ）に示すように、発光部５ｂの光源を、照明具本体軸４の幅と略同一にすれば、発光部５ｂを局所に近づけた場合でも作業者の視野を広くできるという効果を有する。
【００４１】
本実施の形態に係る照明具２ａの変形例２に係る照明具２ｃは、変形例１の場合のように、照明具本体軸４の側面に光源である白色ＬＥＤ１０が複数設けられたものであるが、図３（ｂ）に示すように、発光部５ｃの光源が面状光源である点が変形例１に係る照明具２ｂとは異なっている。
このように、発光部５ｃの光源を面状光源にすることで、変形例２に係る照明具２ｃは、局所照明装置１ａ1に設置する照明具２ｃの本数が少ない場合であっても局所を十分に明るくできるという効果を有する。
また、図示しないが、上述の変形例１，２とは別に、本実施の形態に係る照明具２ａの照明具本体軸４から分岐する分岐部を設けて、この分岐部の先端に発光部５ａ設けてもよい。さらにこの場合、分岐部を照明具本体軸４から着脱可能に構成してもよい。
このように、照明具２ａの照明具本体軸４に分岐部を設けて、その先端に発光部５ａ設けた場合、分岐部の先端に設けられる発光部の向きも自在に変更することが可能となり、光の照射を要する局所の範囲が特に狭く、かつ高照度の光を要する場合に適した局所照明装置にすることができる。
【００４２】
［２］以下に本発明の第２の実施の形態に係る局所照明装置について図４を参照しながら説明する。（主に請求項１乃至請求項４，請求項６乃至請求項８に対応）
【００４３】
図４（ａ），（ｂ）はそれぞれ本発明の第２の実施の形態に係る局所照明装置の部分概念図である。なお、図１乃至図３に記載されたものと同一部分については同一符号を付し、その構成についての説明は省略する。
本発明の第２の実施の形態に係る局所照明装置１ｂ1は、リストバンド１４にホルダー７を設けて照明具２ａを着脱可能に装着するものであり、また、局所照明装置１ｂ2は、ヘッドバンド１５に単数又は複数のホルダー７を設けて照明具２ａを着脱可能に装着するものである。
特に屋外において獣医師が大型動物等を手術する場合で、照明具を固定するための適当な支持材がなく、しかも局所照明装置１ａ1の載置も困難な場合に、獣医師の体等にリストバンド１４やヘッドバンド１５を用いて照明具２ａを単数又は複数本装着することで、所望の場所に光を照射できるという優れた効果を発揮する。
【００４４】
［３］以下に本発明の第３の実施の形態に係る局所照明装置について図５, ６を参照しながら説明する。（主に請求項５に対応）
【００４５】
図５（ａ），（ｂ）はいずれも本発明の第３の実施の形態に係る局所照明装置の部分概念図である。なお、図１乃至図４に記載されたものと同一部分については同一符号を付し、その構成についての説明は省略する。
本発明の第３の実施の形態に係る局所照明装置１ｃは、照明具２ｄをバンド６に設けられるホルダー７に装着すると、照明具先端にある図示しない発光部に、例えば、白色ＬＥＤ１０に電力を供給する回路のスイッチがＯＮとなり、当該発光部が点灯するよう、例えば、白色ＬＥＤ１０が点灯するよう構成されるものである。
このような局所照明装置１ｃは、例えば、図５（ａ）に示すように、照明具２ｄを保持するホルダー７の内面に嵌合溝１６が、また、このホルダー７に保持される照明具２ｄのバッテリ収納部１２の側面には、嵌合溝１６に嵌合する凸部１７がそれぞれ設けられている。この嵌合溝１６と凸部１７は、スイッチ状態保持部を形成しているが、その作用と効果は後述する。
また、本実施の形態に係る照明具２ｄでは、図示しない電池２２から発光部に電力が供給されるため、照明具２ｄのバッテリ収納部１２内には電池が収納されており、その底部にはスイッチとして機能するプッシュカバー１８が覆設されている。
そして、照明具２ｄを図５（ａ）に示すホルダー７に装着すると、照明具２ｄのプッシュカバー１８がホルダー７の底部により上方に押圧されて電源がＯＮされる仕組みになっている。
つまり、本実施の形態に係る局所照明装置１ｃでは、照明具２ｄの底部に設けられるプッシュカバー１８がスイッチ部として作用し、また、ホルダー７の底面が、スイッチ部であるプッシュカバー１８と接触又は離間することで導電ケーブル１９ａ，１９ｂにおける電力の導通又は解除を可能にするスイッチ補助部として作用することで、照明具２ｄの電源のＯＮ／ＯＦＦ切替えを可能にしている。
ホルダー７に照明具２ｄを装着する際には前述のスイッチ状態保持部を利用する。具体的には、スイッチ状態保持部の凸部１７を嵌合溝１６の始点１６ａに嵌合させ、そのまま終点１６ｂへとスライドさせることで、照明具２ｄをホルダー７に固定しながら、電源がＯＮの状態を維持できるという効果を有する。
嵌合溝１６と凸部１７は、ホルダー７のバッテリ収納部１２の複数箇所に設けてもよく、この場合、照明具２ｄの固定効果を高めることができる。また、本実施の形態に係る局所照明装置１ｃでは、スイッチ状態保持部の嵌合溝１６と凸部１７をホルダー７の上部側に設けたが、特に上部側に設ける必要はなく、ホルダー７及び照明具２ｄの底部などに設けるようにしてもよい。
つまり、スイッチ部とスイッチ補助部を備えることで照明具２ｄの電源のＯＮ／ＯＦＦの切り替えが可能となり、さらに、スイッチ状態保持部が、前述のとおり嵌合溝１６と凸部１７を備えてこれらが互いに嵌合すること等により、スイッチ部がＯＮされた状態が維持されるという効果を発揮するのである。
なお、スイッチ状態保持部は、スイッチ部とスイッチ補助部による電源のＯＮ状態を保持するためのものであり、この構造は本実施の形態に記載される構造に限定されるものではない。
【００４６】
次に、図６を参照しながら、発光部５ｄに電力が供給される仕組みについて説明する。
図６（ａ），（ｂ）はいずれも本発明の第３の実施の形態に係る照明具及びホルダー部の断面図である。なお、図１乃至図５に記載されたものと同一部分については同一符号を付し、その構成についての説明は省略する。
図６（ａ）に示すように、照明具２ｄにおいては、円筒状のバッテリ収納部１２内に電池２２が収容され、さらに、電池２２のプラス電極側には正の接点２０が、また、電池２２のマイナス電極側には負の接点２１が配置されている。発光部である白色ＬＥＤ１０に接続される導電ケーブル１９ａ，１９ｂと正負の接点２０，２１と電池２２で、白色ＬＥＤ１０に電力を供給するための回路が形成されている。
そしてこの時、電池２２の自重により電池２２のプラス電極と正の接点２０は接触状態にあるのであるが、電池２２のマイナス電極と負の接点２１が非接触状態であるため、発光部５ｄは点灯しない。
また、照明具２ｄの底部に覆設されるプッシュカバー１８は、内筒１８ａと外筒１８ｂを備え、フランジ状に張り出した外筒１８ｂの上端部が、図６に示すように、筒の内側に向けて折り曲がったバッテリ収納部１２の下端部に掛着することで、プッシュカバー１８が外れず、しかもプッシュカバー１８を上下方向に自在にスライド可能にしている。
さらに、プッシュカバー１８の内筒１８ａと外筒１８ｂの隙間には、コイルスプリング２３が介挿されており、プッシュカバー１８に押圧力が作用しない状態では、プッシュカバー１８が下方に突出するよう構成されている。
【００４７】
そして、上述のような照明具２ｄを、ホルダー７に装着すると、スイッチ部であるプッシュカバー１８がスイッチ補助部であるホルダー７の底面に当接して、上向きの押圧力がプッシュカバー１８に作用する。この結果、コイルスプリング２３が弾性収縮してプッシュカバー１８が上方に押し上げられると同時に、プッシュカバー１８に設けられる内筒１８ａが正の接点２０と電池２２を押し上げて、電池２２のマイナス電極が負の接点２１と接触状態となる。つまり、スイッチ部がＯＮされて、導電ケーブル１９ａ，１９ｂに電流が流れ、白色ＬＥＤ１０が点灯するのである。
逆に、ホルダー７から照明具２ｄを引き抜くと、コイルスプリング２３が押圧力から開放されて弾性伸張し、これに伴いプッシュカバー１８が押し下げられるので、負の接点２１は電池２２のマイナス電極から離れて、スイッチ部がＯＦＦの状態となり、白色ＬＥＤ１０が消灯するのである。
以上説明したようなスイッチ部とスイッチ補助部は一例であり、本実施の形態に記載される構成に限定されるものではなく、ホルダー７に照明具２ｄを装着することで白色ＬＥＤ１０へ電力を供給可能に電源がＯＮの状態にできるものであれば、その構成は問題としない。
なお、ホルダー７の内部や照明具２ｄの内部を図示しない薄い被膜で覆うことなどによってシールド部を設ければ、ホルダー７や照明具２ｄの内部を気密構造とすることができる。このように、ホルダー７や照明具２ｄの内部を気密構造とした場合には、本実施の形態に係る局所照明装置１ｃを、例えば、エチレンオキサイドガス滅菌又は高圧蒸気滅菌処理することが可能となり、より衛生的に使用することができる。
【産業上の利用可能性】
【００４８】
以上説明したように、本発明の請求項１乃至請求項８に記載された発明は、所望の局所に十分な光量の光を照射することができ、局所に光を照射する際、局所照明装置が作業者の視界を遮る心配がなく、さらに、局所近傍に安定した状態で設置することができる局所照明装置であり、ＬＥＤを用いた医療用の照明装置や広く一般の照明装置に関する分野において利用の可能性が高い。
【図面の簡単な説明】
【００４９】
【図１】本発明の第１の実施の形態に係る局所照明装置の概念図である。
【図２】本発明の第１の実施の形態に係る照明具の概念図である。
【図３】（ａ），（ｂ）はそれぞれ本発明の第１の実施の形態に係る照明具の変形例１，変形例２を示す部分図である。
【図４】（ａ），（ｂ）はそれぞれ本発明の第２の実施の形態に係る局所照明装置の部分概念図である。
【図５】（ａ），（ｂ）はいずれも本発明の第３の実施の形態に係る局所照明装置の部分概念図である。
【図６】（ａ），（ｂ）はいずれも本発明の第３の実施の形態に係る照明具及びホルダー部の断面図である。
【符号の説明】
【００５０】
１ａ1〜１ｃ…局所照明装置  ２ａ〜２ｄ…照明具  ３…保持部  ４…照明具本体軸  ５ａ〜５ｄ…発光部  ６…バンド  ７…ホルダー  ８…固定具  ９ａ〜９ｃ…ソケット  １０…白色ＬＥＤ  １１…スイッチ  １２…バッテリ収納部  １３…挟持部材  １４…リストバンド  １５…ヘッドバンド  １６…嵌合溝  １６ａ…始点  １６ｂ…終点  １７…凸部  １８…プッシュカバー  １８ａ…内筒  １８ｂ…外筒  １９ａ，１９ｂ…導電ケーブル  ２０…正の接点  ２１…負の接点  ２２…電池  ２３…コイルスプリング  ２４…スイッチ部
【図１】
2008034209.tif 000003
【図２】
2008034209.tif 000004
【図３】
2008034209.tif 000005
【図４】
2008034209.tif 000006
【図５】
2008034209.tif 000007
【図６】
2008034209.tif 000008